(57)【要約】【課題】電池内蔵型ＩＣタグの納まりがよく、不慮の機械的衝撃を避けることが可能であり、美観に優れた、電池内蔵型ＩＣタグ取り付け用の書類バインダを得る。【解決手段】第１表紙１１、背表紙１３と第２表紙１４が連接され、背表紙１３又は第２表紙１４に固定された書類固定具２０を備え、さらに電池内蔵型ＩＣタグ２の収納部１２を備える書類バインダ１であって、第１表紙１１は箱状であり、第１表紙の厚さ（矢印３２）が、ＩＣタグの厚さ（矢印３１）よりも厚く、箱状の第１表紙１１の一部分に、電池内蔵型ＩＣタグの収納部１２を設けた。【選択図】図１
0003119600.tif 000002
【実用新案登録請求の範囲】
【請求項１】
第１表紙、背表紙と第２表紙が連接され、前記背表紙又は第２表紙に固定された書類固定具を備え、さらに電池内蔵型ＩＣタグの収納部を備える書類バインダにおいて、
第１表紙は箱状であり、第１表紙の厚さが、前記ＩＣタグの厚さよりも厚く、前記箱状の第１表紙の一部分に、前記電池内蔵型ＩＣタグの収納部を設けたことを特徴とする書類バインダ。
【請求項２】
請求項１に記載した書類バインダにおいて、
第１表紙、背表紙と第２表紙は一枚のバインダ原シートからなり、前記バインダ原シートは、順に連接された第２見開部、第２表面部、背表紙部、第１表面部、第１周壁部、第１見開部、第２周壁部を有し、
第２見開部、第２表面部を接着して、第２表紙を形成し、
前記背表紙部が前記背表紙を形成し、
第１表面部、第１周壁部、第１見開部、第２周壁部を折畳んで前記箱状の第１表紙を形成したことを特徴とする請求項１に記載した書類バインダ。
【請求項３】
請求項１乃至２いずれか記載の書類バインダにおいて、
前記箱状の第１表紙の見開表紙の一部であって、前記電池内蔵型ＩＣタグの収納部に面する部分を切断し、前記電池内蔵型ＩＣタグの収納部の入口としたことを特徴とする請求項１乃至２いずれか記載の書類バインダ。
【請求項４】
請求項２に記載した書類バインダにおいて、
前記バインダ原シートが紙製であることを特徴とする請求項２に記載した書類バインダ
【請求項５】
請求項１乃至４いずれか記載の書類バインダにおいて、
前記箱状の第１表紙は空洞であり、前記空洞に紙製の充填部材を充填したことを特徴とする請求項１乃至４いずれか記載の書類バインダ
【請求項６】
電池内蔵型ＩＣタグを備えた書類バインダにおいて、
請求項１乃至５いずれかに記載した書類バインダの前記電池内蔵型ＩＣタグの収納部に、電池内蔵型ＩＣタグを収納したことを特徴とする書類バインダ。
【考案の詳細な説明】
【技術分野】
【０００１】
本考案は、電池内蔵型ＩＣタグにより管理、所在追跡可能な書類バインダに関するものである。
【背景技術】
【０００２】
書類情報及び書類の所在情報の管理のために、書類ファイルの表紙にＩＣチップとＩＣリーダライタを備えた書類ファイルが知られている（例えば特許文献１参照）。
【特許文献１】特開２００１−２２９１９９号公報  図３
【考案の開示】
【考案が解決しようとする課題】
【０００３】
ＩＣタグは、電池を内蔵するもの（以下電池内蔵型という）と、電磁波により外部から駆動電力を供給されるもの（以下外部電源型という）に分類することが出来る。
書類管理用として電池内蔵型ＩＣタグを書類バインダに取り付けたい場合がある。
【０００４】
しかし、電池内蔵型ＩＣタグは、厚さが厚く、従来の外部電源型と同様に書類バインダに取り付けると、納まりが悪く、不慮の機械的衝撃を受ける危険性があり、かつ、書類バインダの美観も損なわれる。さらに、書類バインダに綴られる書類と重なり合わない位置に取り付けようとすれば、当該書類バインダが、従来の書類バインダの定格サイズを越えることがあり、専用のキャビネットが必要となるなど、管理システム全体の費用が嵩む。
【０００５】
そこで、本考案は、電池内蔵型ＩＣタグの収納部を備えた書類バインダであって、電池内蔵型ＩＣタグの納まりがよく、不慮の機械的衝撃を避けることが可能であり、美観に優れた、書類バインダを得ることを課題とする。また、本考案は、電池内蔵型ＩＣタグの収納部を備えた書類バインダであって、従来の定格サイズのキャビネットにそのまま収納可能な書類バインダを得ることを課題とする。
【０００６】
本考案のその他の課題は、本考案の説明により明らかになる。
【課題を解決するための手段】
【０００７】
本考案の一の態様にかかる書類バインダは、第１表紙、背表紙と第２表紙が連接され、前記背表紙又は第２表紙に固定された書類固定具を備え、さらに電池内蔵型ＩＣタグの収納部を備える書類バインダにおいて、第１表紙は箱状であり、第１表紙の厚さが、前記ＩＣタグの厚さよりも厚く、前記箱状の第１表紙の一部分に、前記電池内蔵型ＩＣタグの収納部を設けたことを特徴とする。
【０００８】
本考案の好ましい実施態様にかかる書類バインダは、前記第１表紙、背表紙と第２表紙は一枚のバインダ原シートからなり、前記バインダ原シートは、順に連接された第２見開部、第２表面部、背表紙部、第１表面部、第１周壁部、第１見開部、第２周壁部を有し、第２見開部、第２表面部を接着して、第２表紙を形成し、前記背表紙部が前記背表紙を形成し、第１表面部、第１周壁部、第１見開部、第２周壁部を折畳んで前記箱状の第１表紙を形成してもよい。
【０００９】
本好ましい実施態様によれば、書類バインダは一枚のシートを切断、折り曲げなどして製造されるので、例えば金型を作成して成形する場合に比較して、手軽かつ安価に製造が可能となる。しかしながら、本考案にかかる書類バインダは溶融樹脂を成形して製造してもよい。
【００１０】
本考案の他の好ましい実施態様にかかる書類バインダは、前記箱状の第１表紙の見開表紙の一部であって、前記電池内蔵型ＩＣタグの収納部に面する部分を切断し、前記電池内蔵型ＩＣタグの収納部の入口としたものであってもよい。
【００１１】
本好ましい実施態様によれば、見開側に電池内蔵型ＩＣタグの収納部の入口があるので、当該ＩＣタグの電池の入れ替えなど保守操作が容易となり、また、外観の見栄えがよくなる。しかしながら、本考案にかかる電池内蔵型ＩＣタグ収納部の入口は第一表紙の表面側に位置していてもよい。
【００１２】
本考案のその他の好ましい実施態様にかかる書類バインダは、前記バインダ原シートが紙製であってもよい。
【００１３】
本好ましい実施態様にかかる書類バインダは環境にやさしいものとなる。
【００１４】
本考案の好ましい他の実施態様にかかる書類バインダは、前記箱状の第１表紙が空洞であり、前記空洞に紙製の充填部材を充填したものであってもよい。
【００１５】
本好ましい実施態様にかかる書類バインダは、より一層環境にやさしいものとなる。
【００１６】
本考案の他の態様にかかる電池内蔵型ＩＣタグを収納した書類バインダは、電池内蔵型ＩＣタグを備えた書類バインダにおいて、本考案にかかる電池内蔵型ＩＣタグの収納部を備える書類バインダの前記電池内蔵型ＩＣタグの収納部に、前記電池内蔵型ＩＣタグを収納したことを特徴とする。
【００１７】
以上説明した本考案、本考案の好ましい実施態様、これらに含まれる構成要素は可能な限り組み合わせて実施することができる。
【考案の効果】
【００１８】
本考案にかかる電池内蔵型ＩＣタグの収納部を備える書類バインダは、電池内蔵型ＩＣタグの納まりがよく、不慮の機械的衝撃を避けることが可能であり、美観に優れた、書類管理バインダである。また、本考案にかかる当該書類バインダは、縦横の寸法を従来の書類バインダと同じ大きさにすることができるので、従来の定格サイズのキャビネットにそのまま収納可能である。このため、電池内蔵型ＩＣタグを使用する書類管理システム全体を安価に構築することができる。
【００１９】
本考案にかかる電池内蔵型ＩＣタグを収納した書類バインダは、上記書類バインダと同様な効果を有する。
【考案を実施するための最良の形態】
【００２０】
以下、図面を参照して本考案の実施例にかかる書類バインダと電池内蔵型ＩＣタグを収納した書類バインダをさらに説明する。本考案の実施例に記載した部材や部分の寸法、材質、形状、その相対位置などは、とくに特定的な記載のない限りは、この考案の範囲をそれらのみに限定する趣旨のものではなく、単なる説明例にすぎない。
【００２１】
図１は書類バインダ１を開いた状態の一部分解斜視図である。書類バインダ１は、第１表紙１１、背表紙１３と第２表紙１４が連接されている。第１表紙１１は箱状である。矢印３２で示す第１表紙１１の厚さは、矢印３１で示すＩＣタグ２の厚さよりも厚い。ＩＣタグ２は電池内蔵型である。第１表紙１１の一部分に、ＩＣタグの収納部１２を設けている。本実施例の場合は、収納部１２は、第１表紙の見開側に開口し、有底の窪みである（収納部１２の底面は、第１表紙の表面部材である）。
【００２２】
第１表紙１１の厚さ（矢印３２）はＩＣタグの厚さ（矢印３１）に依存するが、通常、４ｍｍ〜１０ｍｍ、好ましくは７ｍｍ〜９ｍｍである。
【００２３】
第１表紙１１及び第２表紙１４の縦横寸法は、特に制限はないが、従来より用いられている書類バインダの寸法と等しくすることが好ましい。例えば、Ａ４サイズの書類を綴る用途であれば３０７ｍｍ×２４０ｍｍ、Ｂ５サイズの書類を綴る用途であれば２６７ｍｍ×１９７ｍｍ、伝票サイズの書類を綴る用途であれば１１８ｍｍ×２１５ｍｍなどを例示することができる。
【００２４】
第２表紙１４には、ストラップ２３、綴じ具２１とスライド２２からなる書類固定具２０が取り付けられている。書類固定具は、いかなる形式の固定具であってもよく、例えば、リング式、パイプ式、押圧式（パンチレスタイプ）、多穴式（ルーズリーフタイプ）などであってもよい。また、封筒を貼り付けたものであってもよい。書類固定具は、背表紙１３に固定されていてもよい。
【００２５】
本実施例の第１表紙１１は空洞であり、当該空洞に充填部材１７が充填されている。充填の方向を矢印９で示している。充填部材１７には、収納部１２となる充填部材貫通部１８が設けられている。充填部材１７の材料として、紙製（ダンボール紙、厚紙等）、発泡スチロール、発泡ウレタンなどを挙げることができる。充填部材１７の材料は、環境にやさしい観点から紙製が好ましい。収納部１２に周壁を形成する場合には、充填部材１７を２分割すればよい。このような場合分割位置として、分割面１９を例示することができる。
【００２６】
収納部１２にＩＣタグ２を入れ（当該過程を矢印８で示している）、収納部１２の開口部に紙を折り曲げて作成した蓋１６を被せている（当該過程を矢印７で示している）。
【００２７】
図２は、バインダ原シート６の平面図である。バインダ原シート６は一枚のシートからなり、第２見開部６１、第２表面部６２、背表紙部６３、第１表面部６４、第１周壁部６５、第１見開部６６、第２周壁部６７、糊代部６８が順に横方向に連接されている。第１表紙部６４の上側には、第３周壁部６９と第３閉じ込み部７０が連接されている。第１表紙部６４の下側には、第４周壁部７１と第４閉じ込み部７２が連接されている。また、第１周壁部６５の上下には夫々周壁補強部７３が連接されている。第２周壁部６７の上下には夫々周壁補強部７３が連接されている。
【００２８】
第１見開き部６６の一部には、切り込み線が設けられ、２つの収納周壁部８１と２つの収納周壁部糊代部８２が形成されている。
【００２９】
第２見開部６１と第２表面部６２をこれらの境界線で折り畳み接着して、書類バインダ１の第２表紙１４とする。
【００３０】
第１表面部６４、第１周壁部６５、第１見開部６６、第２周壁部６７と糊代部６８の各境界線を９０度折り曲げて、糊代部６８を第１表面部６４に接着する。続いて、４つの周壁補強部７３を折り曲げる。引き続き、第１表紙部６４、第３周壁部６９と第３閉じ込み部７０の各境界線を折り曲げて、第３閉じ込み部７０を生じた空洞内に閉じ込む。引き続き、第１表紙部６４、第４周壁部７１と第４閉じ込み部７２の各境界線を折り曲げて、第４閉じ込み部７２を生じた空洞内に閉じ込む。以上の工程により、書類バインダ１の第１表紙１１が出来る。
【００３１】
さらに、各々の収納周壁部８１の境界線を折り曲げて、２つの収納周壁部糊代部８２を対面する第１表面部６４に接着して、収納部１２が出来る。
【００３２】
背表紙部６３は、書類バインダ１の背表紙１３となる。
【００３３】
バインダ原シート６の材料として、紙、合成樹脂（例えばポリプロピレン）などを挙げることが出来る。バインダ原シート６の材料は、環境にやさしい観点から紙が好ましい。
【００３４】
以下に、その他の実施例を説明する。
【００３５】
第１表紙１１の空洞部に充填部材１７を充填する場合には、充填部材貫通部１８の壁面を収納部１２の内壁とすることができる。
【００３６】
収納部１２は、第１表紙１１の表紙側、あるいは周壁に開口してもよい。また、収納部１２は、開口部を持たず、充填部材１７の貫通穴、または有底窪み部にＩＣタグ２を納めて、第１表紙１１の周壁部から、充填部材１７とともに空洞部に収めてもよい。
【００３７】
第１表紙１１は空洞を持たず、素材が密に詰まったものであってもよい。この場合には、第１表紙１１の表面側、見開側、周壁側いずれかに開口する窪み部を形成し、収納部とすればよい。
【産業上の利用可能性】
【００３８】
本考案にかかる書類バインダと電池内蔵型ＩＣタグを収納した書類バインダは、例えば、電池内蔵型ＩＣタグ用いた書類管理システムの構成物として使用することができる。
【図面の簡単な説明】
【００３９】
【図１】書類バインダ１を開いた状態の一部分解斜視図である。
【図２】バインダ原シート６の平面図である。
【符号の説明】
【００４０】
１    書類バインダ
２    電池内蔵型ＩＣタグ
６    バインダ原シート
１１    第１表紙
１２    収納部
１３    背表紙
１４    第２表紙
１６    蓋
１７    充填部材
１８    充填部材貫通部
１９    分割面
２０    書類固定具
３１    ＩＣタグの厚さを示す矢印  
３２    第１表紙の厚さを示す矢印  
【００４１】
６１    第２見開部
６２    第２表面部
６３    背表紙部
６４    第１表面部
６５    第１周壁部
６６    第１見開部
６７    第２周壁部
６８    糊代部
８１    収納周壁部
８２    収納周壁部糊代部
【図１】
0003119600.tif 000003
【図２】
0003119600.tif 000004